(57)【要約】【課題】後続のシートが折れ曲がって先行のシートに積載されないようにする。【解決手段】フィニッシャ１１９は、シートを排出する排出ローラ対１２６と、排出ローラ対１２６によって排出されたシートが積載される処理トレイ１２９と、処理トレイ１２９に積載されたシートを排出ローラ対１２６がシートを排出する方向と同じ方向に移動させる後端アシスト１３４と、を備えている。後端アシスト１３４は、排出ローラ対１２６によって排出されるシートの先端が、処理トレイ１２９に積載されているシート上に接触した状態において、処理トレイ１２９に積載されているシートをシート排出方向Ｅに移動させる。これによって、フィニッシャ１１９は、後続のシートＰ２が先行のシートＰ１上で湾曲し、折れ曲がって先行のシート上に積載されるのが防止されて、シートの積載不良の発生を防止することができる。【選択図】図９
2014028692.tif 000002
【特許請求の範囲】
【請求項１】
シートを所定の排出方向に排出する排出手段と、
前記排出手段によって排出されたシートが積載される積載手段と、
前記積載手段に積載されたシートを前記排出方向に移動させる移動手段と、を備え、
前記移動手段は、前記排出手段によって排出されるシートの先端が、前記積載手段に積載されているシート上に接触した状態において、前記積載手段に積載されているシートをシートの前記排出方向に移動させる、
ことを特徴とするシート処理装置。
【請求項２】
複数枚のシートを重ねて貯留する貯留手段を備え、
前記移動手段は、前記貯留手段によって貯留されて前記排出手段によって排出される複数枚のシートの先端の内、最も下流に位置した先端が、前記積載手段に積載されているシート上に接触した状態において、前記積載手段に積載されているシートをシートの前記排出方向に移動させる、
ことを特徴とする請求項１に記載のシート処理装置。
【請求項３】
前記移動手段が前記積載手段に積載されているシートを移動させる速度は、前記排出手段がシートを排出する速度以上に設定されている、
ことを特徴とする請求項１又は２に記載のシート処理装置。
【請求項４】
前記移動手段は、前記排出手段によって排出されたシートが積載されるとき、シートの前記排出方向に往復移動可能である、
ことを特徴とする請求項１乃至３のいずれか１項に記載のシート処理装置。
【請求項５】
前記移動手段によって移動させられたシートを元の位置に戻す戻し手段を備えた、
ことを特徴とする請求項１乃至４のいずれか１項に記載のシート処理装置。
【請求項６】
シートに画像を形成する画像形成手段と、
前記画像形成手段に画像を形成されたシートを処理するシート処理装置と、を備え、
前記シート処理装置が請求項１乃至５のいずれか１項に記載のシート処理装置である、
ことを特徴とする画像形成装置。
【発明の詳細な説明】
【技術分野】
【０００１】
本発明は、シートを処理するシート処理装置と、このシート処理装置を備えた画像形成装置とに関する。
【背景技術】
【０００２】
近年、シートに画像を形成する電子写真複写機、レーザビームプリンタ、ファクシミリ、及びこれらの複合機などの画像形成装置は、装置本体の脇にオプションとして、シート処理装置を備えている場合がある。シート処理装置は、画像形成済みのシートを仕分けるソータ処理、シート束をステープラで綴じる綴じ処理、シート束の整合をする整合処理等の少なくとも１つの処理を行うようになっている。
【０００３】
例えば、綴じ処理をするシート処理装置は、シート処理装置の装置本体内に搬送されたシートを、シート積載手段としての処理トレイに積載して、ステープラで１箇所、又は複数箇所（通常２箇所）を綴じるようになっている。このようなシート処理装置として、特許文献１に記載のものがある。
【０００４】
このシート処理装置は、画像形成装置の装置本体から画像を形成されて搬送されてきたシートを、搬送上ローラと搬送下ローラとでそのまま排出する機能と、搬送上ローラを逆転させて処理トレイに逆送積載してステープラで綴じて排出する機能とを備えている。
【先行技術文献】
【特許文献】
【０００５】
【特許文献１】特開２００５−７５４８１号公報
【発明の概要】
【発明が解決しようとする課題】
【０００６】
従来のシート処理装置は、図２４において、画像形成装置の装置本体から画像を形成されて搬送されてきたシートＰＡを処理トレイ９２９に積載するとき、シートの先端が処理トレイに既に積載されている先行シートＰＢに接した状態で搬送される。この場合、後続のシートＰＡが、剛性の低い（腰の弱い）シート、厚みの薄いシート、或いは下向きにカールしたシートであると、先端が下方向へ垂れ下がった状態で先行シートＰＢに接触し、その接触した状態が維持されたまま、搬送を継続される。
【０００７】
このため、シートＰＡの先端が先行シートＰＢ上をシートＰＡの排出方向に滑ることが困難であり、シートＰＡは、湾曲し、最後に折れ曲がって、先行シートＰＢ上に積載される。したがって、従来のシート処理装置は、シートの積載不良を発生することがあった。
【０００８】
本発明は、シートの積載不良を低減したシート処理処置と、このシート処理装置を装置本体に備えた画像形成装置とを提供することにある。
【課題を解決するための手段】
【０００９】
本発明のシート処理装置は、シートを所定の排出方向に排出する排出手段と、前記排出手段によって排出されたシートが積載される積載手段と、前記積載手段に積載されたシートを前記排出方向に移動させる移動手段と、を備え、前記移動手段は、前記排出手段によって排出されるシートの先端が、前記積載手段に積載されているシート上に接触した状態において、前記積載手段に積載されているシートをシートの前記排出方向に移動させる、ことを特徴としている。
【００１０】
本発明の画像形成装置は、シートに画像を形成する画像形成手段と、前記画像形成手段に画像を形成されたシートを処理するシート処理装置と、を備え、前記シート処理装置が上記のシート処理装置である、ことを特徴としている。
【発明の効果】
【００１１】
本発明のシート処理装置は、排出される後続のシートの先端が、シート積載手段に積載されている先行のシートに接触した状態で、先行のシートをシート排出方向に移動させるようになっている。このため、シート処理装置は、後続のシートが先行のシート上で湾曲して、折れ曲がるのを防止されて、シートの積載不良の発生を防止することができる。
【図面の簡単な説明】
【００１２】
【図１】本発明の実施形態における画像形成装置としての複写機のシート搬送方向に沿った断面図である。
【図２】複写機全体の制御ブロック図である。
【図３】本発明の実施形態におけるシート処理装置としてのフィニッシャのシート搬送方向に沿った断面図である。
【図４】図３のフィニッシャの各駆動系を示した断面図である。
【図５】シートを束状にして綴じているとき、後続のシートを貯留しなくてもすむ場合におけるフィニッシャの動作説明用の図である。（ａ）はフィニッシャに１枚目のシートが送り込まれてきた状態の図である。（ｂ）はフィニッシャが１枚目のシートを受け入れた状態の図である。
【図６】図５に続く動作説明用の図である。（ａ）は１枚目のシートが排出ローラ対を通過した状態の図である。（ｂ）１枚目のシートがスタックトレイと処理トレイに跨って落下した状態の図である。
【図７】図６に続く動作説明用の図である。（ａ）は１枚目のシートを処理トレイに送り込んでいる状態の図である。（ｂ）は１枚目のシートを処理トレイにさらに送り込んでいる状態の図である。
【図８】図７に続く動作説明用の図である。（ａ）はフィニッシャに２枚目のシートが送り込まれてきた状態の図である。（ｂ）は１枚目のシートがストッパに当接した状態の図である。
【図９】図８に続く動作説明用の図である。（ａ）はフィニッシャが２枚目のシートを受け入れた状態の図である。（ｂ）は２枚目のシートを処理トレイに送り込んだ状態の図である。
【図１０】図９に続く動作説明用の図である。３枚のシートが処理トレイに積載された状態の図である。
【図１１】図１０に続く動作説明用の図である。（ａ）はシート束を処理トレイからスタックトレイに排出し始めた状態の図である。（ｂ）はシート束を処理トレイからスタックトレイに排出している途中の状態の図である。
【図１２】シート束を排出するときにおける動作説明用のフローチャートの図である。
【図１３】フィニッシャの本発明に関係する部分の拡大図である。
【図１４】シートを束状にして綴じているとき、後続のシートを貯留（バッファ）する場合におけるフィニッシャの動作説明用の図である。（ａ）はフィニッシャに１枚目のバッファシートが送り込まれてきた状態の図である。（ｂ）はフィニッシャが１枚目のバッファシートをスイッチバックポイントまで受け入れた状態の図である。
【図１５】図１４に続く動作説明用の図である。（ａ）は１枚目のシートを後端受け止め部で受け止めた状態の図である。（ｂ）は１枚目のシートを後端押さえによって下搬送ガイド板に押さえ込んだ状態の図である。
【図１６】図１５に続く動作説明用の図である。（ａ）はフィニッシャに２枚目のシートが送り込まれてきた状態の図である。（ｂ）は２枚目のシートがさらに送り込まれた状態の図である。
【図１７】図１６に続く動作説明用の図である。（ａ）は２枚目のシートをスイッチバックポイントまで受け入れた状態の図である。（ｂ）は２枚目のシートを後端受け止め部で受け止めた状態の図である。
【図１８】図１７に続く動作説明用の図であり、１枚目と２枚目のシートを重ねて、後端押さえによって下搬送ガイド板に押さえ込んだ状態の図である。
【図１９】図１８に続く動作説明用の図である。（ａ）は３枚目のシートが送り込まれてきた状態の図である。（ｂ）は３枚目のシートが送り込まれた状態の図である。
【図２０】図１９に続く動作説明用の図である。（ａ）はシート束を処理トレイからスタックトレイに排出し始める状態の図である。（ｂ）はシート束とバッファシートとを排出方向に搬送している状態の図である。
【図２１】図２０に続く動作説明用の図である。（ａ）はシート束を処理トレイからスタックトレイに排出した状態の図である。（ｂ）はバッファシートを処理トレイに送り込んでいる状態の図である。
【図２２】図２１に続く動作説明用の図である。（ａ）はバッファシートを処理トレイに送り込んでいる状態の図である。（ｂ）はバッファシートを処理トレイにさらに送り込んでいる状態の図である。
【図２３】バッファシートの下流端からのシート束の下流端の突出長さが短い場合の動作説明用の図である。
【図２４】従来のシート処理装置としてのフィニッシャの動作説明用の図である。
【発明を実施するための形態】
【００１３】
次に、本発明の実施形態のシート処理装置、及び画像形成装置を図に基づいて説明する。
【００１４】
なお、本実施形態に記載されている構成部品の寸法、数値、材質、形状、その相対配置などは、特別な記載がない限り、本発明の範囲をそれらのみに限定する趣旨のものではない。
【００１５】
（画像形成装置）
本実施形態の画像形成装置は、例えば、記録方式として電子写真方式を採用した複写機である。画像形成装置には、記録方式として電子写真方式、インクジェット方式等がある。具体的には、複写機、ファクシミリ、プリンタ、及びこれらの複合機等がある。このため、本発明の画像形成装置は、複写機に限定されるものではない。
【００１６】
図１は、シート搬送方向に沿った本発明の画像形成装置である例えば複写機の断面図である。
【００１７】
複写機１００は、装置本体１０１と、シート処理装置としてのフィニッシャ１１９とで構成されている。装置本体１０１の上部には、原稿搬送装置１０２が装備されている。原稿搬送装置１０２は、必ずしも必要ではない。
【００１８】
原稿Ｄは、ユーザによって原稿載置部１０３に載置されて、給送部１０４により１枚ずつ順次分離されてレジストローラ対１０５に供給される。続いて、原稿Ｄは、レジストローラ対１０５によって一旦停止され、ループを形成させられて斜行が矯正される。その後、原稿Ｄは、導入パス１０６を通り、読取位置１０８を通過することで、原稿表面に形成されている画像が読み取られる。読取位置１０８を通過した原稿Ｄは、排出パス１０７を通過して、排出トレイ１０９上に排出される。
【００１９】
また、原稿の表裏両面を読み取る場合には、まず、上記のようにして原稿Ｄが読取位置１０８を通過することで、原稿の一方の画像面が読み取られる。その後、原稿Ｄは、排出パス１０７を通り、反転ローラ対１１０によってスイッチバック搬送されて、表裏反転された状態で、再度レジストローラ対１０５に送られる。そして、原稿Ｄは、一方の面の画像を読み取ったときと同様にして、レジストローラ対１０５で斜行が矯正されて、導入パス１０６を通り、読取位置１０８で他方の画像面が読み取られる。その後、原稿Ｄは、排出パス１０７を通り、排出トレイ１０９へ排出される。
【００２０】
読取位置１０８を通過する原稿には照明系１１１から光が照射される。この原稿から反射した反射光は、ミラー１１２によって光学素子１１３（ＣＣＤあるいは他の素子）に導かれ、画像データに変換される。そして、この画像データに基づいてレーザ光を感光体ドラム１１４ａに照射することにより、画像形成手段である例えば感光体ドラム１１４ａ上に潜像が形成される。この感光体ドラム１１４ａに形成された潜像は、不図示のトナー供給装置から供給されたトナーによって現像され、可視像化されてトナー像となる。
【００２１】
また、このトナー像形成動作に伴ってカセット１１５に積載された紙あるいはプラスチックフィルム等のシートＰが、記録信号に応じてカセット１１５から送り出されて、感光体ドラム１１４ａと転写器１１６との間に進入する。シートは、感光体ドラム１１４ａと転写器１１６との間に進入する前に、斜行している場合、レジストローラ対１５０によって真っ直ぐに矯正される。
【００２２】
そして、転写器１１６によって感光体ドラム１１４ａ上のトナー像がシートに転写される。このトナー像が転写されたシートは、定着器１１７を通過する間に加熱、加圧されてトナー像が定着される。
【００２３】
なお、シートの両面に画像を形成する場合は、定着器１１７によって片面にトナー像が定着されたシートが、定着器１１７の下流側に設けられた両面パス１１８を通る途中において、スイッチバック搬送されて表裏反転される。シートは、感光体ドラム１１４ａと転写器１１６との間に、再度、送り込まれ、裏面にもトナー像が転写される。その後、シートは、定着器１１７で裏面のトナー像が定着されて、フィニッシャ１１９に送り込まれる。
【００２４】
図２は、複写機全体の制御ブロック図である。複写機１００全体は、ＣＰＵ回路２０１によって制御されるようになっている。ＣＰＵ回路２０１内には、各部のシーケンス、すなわち制御手順を記憶してあるＲＯＭ２０２と、必要に応じて一時的に種々の情報が記憶されるＲＡＭ２０３が設けられている。
【００２５】
原稿搬送装置制御部２０４は、原稿搬送装置１０２の原稿送り動作を制御するようになっている。イメージリーダ制御部２０５は、照明系１１１等を制御して、原稿の読み取りを制御するようになっている。画像信号制御部２０６は、イメージリーダ制御部２０５の読み取り情報、或いは、外部コンピュータ２０７から送られてくる画像情報を外部Ｉ／Ｆ２０８を介して受信し、その情報を処理して、プリンタ部制御部２０９に処理信号を送るようになっている。プリンタ部制御部２０９は、画像信号制御部２０６からの画像処理信号に基づいて感光体ドラム１１４ａ等を有する装置本体１０１を制御して、シートに画像を形成するようになっている。操作部２１０は、複写機１００を操作する不図示の操作パネルや、複写機１００の動作状態を表示する不図示の表示パネルを有している。
【００２６】
フィニッシャ制御部２１１は、フィニッシャ１１９を制御するようになっている。ファックス制御部２１２は、外部ファックスとファックス信号の授受を行って、複写機１００にファックス動作を行わせるようになっている。
【００２７】
なお、ＣＰＵ回路２０１とフィニッシャ制御部２１１は、いずれか一方を他方に組み込まれて一体化されていてもよい。
【００２８】
（シート処理装置）
本実施形態のシート処理装置としてのフィニッシャ１１９を説明する。図３は、シート搬送方向に沿った本発明の実施形態におけるフィニッシャの断面図である。
【００２９】
フィニッシャ１１９は、独立の装置として、複写機１００の装置本体１０１に対して着脱自在に構成された、オプション的な装置である。ただし、フィニッシャ１１９は、複写機１００の装置本体１０１に一体的に備えられる場合にも適用されることは言うまでもなく、その説明は省略する。
【００３０】
フィニッシャ１１９は、シート束を製本にする機能を備えている。フィニッシャ１１９は、シート束の縁の近くを綴じるシート処理手段としてのステープラ１３２と、シート束の中央を綴じるステープラ１３８と、折りユニット１３９等を備えている。折りユニット１３９は、ステープラ１３８によって綴じられたシート束の綴じ位置の部分を折り曲げてシート束を冊子状にするようになっている。
【００３１】
なお、フィニッシャ１１９は、シート束を作成するのにステープラ１３２を使用しているが、これに限定されるものではなく、例えば、糊付製本機構を使用してもよい。また、ステープラの代わりに穿孔装置を設けてもよい。したがって、シート処理手段は、ステープラに限定されるものではない。
【００３２】
フィニッシャ１１９は、複写機１００の装置本体１０１で画像形成されて、排出ガイド（不図示）から排出されるシートを受取ローラ対１３７で受け取り、フラッパ１２２を通してバッファユニット１４０に搬送する。
【００３３】
貯留手段としてのバッファユニット１４０は、ステープラ１３２の作動時に、シートを真っ直ぐな状態で複数枚重ねて貯留する（バッファする）ようになっている。このバッファユニット１４０は、シートを真っ直ぐな状態で複数枚重ねて溜めるようになっているので、従来の、例えばシートが巻き付けられてシートを溜めるバッファローラを有している機構と異なって、扁平に形成されている。このため、フィニッシャ１１９を小形化、軽量化することができる。さらに、バッファユニット１４０は、シートを真っ直ぐな状態で溜めることができるので、バッファローラの場合と異なって、シートを丸めることがなく、シートを取り扱いやくなる。その分、フィニッシャとしてのシートの処理時間を短縮することができる。
【００３４】
次に、本発明に係るフィニッシャのシート及びシート束を図５に示す処理トレイ１２９又はスタックトレイ１２８に搬送する動作を説明する。
【００３５】
（シート束を綴じて排出する動作説明）
以下のシート束を綴じて排出する動作は、フィニッシャ制御部２１１により制御される。ユーザが、複写機１００の操作部２１０（図１、図２参照）のシート綴じ処理表示を選択する。すると、ＣＰＵ回路２０１は、複写機１００の装置本体１０１の各部を制御して複写機１００の装置本体１０１を複写動作に移らせるとともに、フィニッシャ制御部２１１にシート綴じ処理信号を送る。
【００３６】
フィニッシャ制御部２１１は、シート綴じ処理信号に基づいて、入口搬送モータＭ２（図４参照）、束出しモータＭ３を始動させる。また、フィニッシャ制御部２１１は、バッファローラ離間プランジャＳＬ１（図４参照）を作動させてバッファローラ１２４を下搬送ガイド板１２３ｂから離してある。さらに、バッファローラ離間プランジャＳＬ１は、後述する揺動ローラ機構を動作させて揺動ローラ対１２７の搬送上ローラ１２７ａを搬送下ローラ１２７ｂから離してある。なお、入口搬送モータＭ２、束出しモータＭ３の始動停止は、シートの動きに合わせて逐一制御されるようになっていてもよい。
【００３７】
複写機１００（図１参照）の装置本体１０１の排出ローラ対１２０から送られてきた１枚目のシートは、図３、図４に示す受取ローラ対１３７の搬送とフラッパ１２２の案内とによって、入口ローラ対１２１に搬送される。受取ローラ対１３７は、排出ローラ対１２０を回転させる共通搬送モータＭ１によって回転する。
【００３８】
図５（ａ）に示すように、入口ローラ対１２１は、入口搬送モータＭ２（図４参照）によって回転して、１枚目のシートＰ１を搬送する。シートＰ１は、上搬送ガイド板１２３ａと下搬送ガイド板１２３ｂとからなるガイド１２３の案内によって排出ローラ対１２６へ搬送される。
【００３９】
シートＰ１は、図５（ｂ）に示すように、排出ローラ対１２６の回転（第１の方向の回転、正回転）によってさらに搬送されて、図６（ａ）に示すように、スタックトレイ１２８に搬送される。そして、シートＰ１は、図６（ｂ）に示すように、シートを排出するシート排出手段としての排出ローラ対１２６によって排出されたシートＰ１が積載されるスタックトレイ１２８と積載手段としての処理トレイ１２９とに跨って落下して積載される。その後、図７（ａ）、図７（ｂ）に示すように、搬送上ローラ１２７ａが揺動ローラ機構によって下降して、搬送下ローラ１２７ｂとでシートを挟む。このとき、揺動ローラ対１２７は、シート束を搬送する役目ではなく、１枚目のシートＰ１を後述するストッパ１３１の方へ搬送する役目をする。
【００４０】
その後、搬送上ローラ１２７ａおよび搬送下ローラ１２７ｂが、束出しモータＭ３（図４参照）によって、図７（ｂ）に示す矢印方向に回転（第２の方向に回転、逆回転）する。さらに、処理トレイ１２９に接離自在な戻しローラ１３０も束出しモータＭ３（図４参照）によって、図７（ｂ）に示す矢印方向に回転（逆回転）する。ところで、搬送下ローラ１２７ｂは、１枚目のシートを搬送するとき、束下クラッチＣＬ（図４参照）の作動によって駆動が連結されているが、２枚目以降のシートを搬送するときにはオフして空転するようになっている。これは、２枚目以降のシートが積載されるとき、搬送下ローラ１２７ｂが回転していると、搬送下ローラ１２７ｂが１枚目のシートもストッパ１３１側に押し込んで、１枚目のシートに皺を生じさせるおそれがあるためである。
【００４１】
図８（ａ）に示すように、揺動ローラ対１２７と戻しローラ１３０との回転によって、シートが右下がりの処理トレイ１２９上を矢印方向に滑り降りる。そのとき、後端アシスト１３４は、待機位置に待機している。そして、図８（ｂ）に示すように、シートＰ１がストッパ１３１に当接すると、搬送上ローラ１２７ａがシートＰ１から離れる。シートＰ１は、ストッパ１３１に当接することによって、シート搬送方向の整合が行われたことになる。その後、シートＰ１は、公知の１対の整合板１４４（図４参照）によってシートの幅整合が行われる。
【００４２】
次に２枚目のシートＰ２搬送時の動作を説明する。
【００４３】
１枚目のシートＰ１と同様に、図８（ｂ）に示すように、入口ローラ対１２１は、入口搬送モータＭ２（図４参照）によって回転して、２枚目のシートＰ２を搬送する。シートＰ２は、上搬送ガイド板１２３ａと下搬送ガイド板１２３ｂとからなるガイド１２３の案内によって排出ローラ対１２６へ搬送される。
【００４４】
シートＰ２は、図９（ａ）に示すように、排出ローラ対１２６の回転（第１の方向の回転、正回転）によって、さらに搬送される。
【００４５】
シートＰ２の後端Ｐ２ｂが図４に示す入口センサＳ１に検知されてから、シートＰ２の先端Ｐ２ａが処理トレイ１２９に積載されているシートＰ１へ到達（接触）するまでの時間Ｔ（秒（ｓ））を、フィニッシャ制御部２１１の不図示の演算部が算出する。シートＰ２の先端Ｐ２ａは、シートＰ２の排出方向の下流端でもある。この算出は、後述する距離Ｋ及びＣＰＵ回路２０１から送信されるシートサイズ（排出方向の長さ）の情報（フィニッシャ１１９でシートサイズを測定してもよい）を考慮してフィニッシャ制御部２１１の演算部より行われる。距離Ｋは、入口センサＳ１がシートの先端を検知する位置からこのシートの先端が処理トレイ１２９に積載されているシートに接触する位置までの距離であり、予め、設定されてフィニッシャ制御部２１１に記憶されている。また、距離Ｋは、処理トレイ１２９に積載されているシートの積載枚数に応じて設定される数値である。距離Ｋは、例えば、処理トレイ１２９に積載されている枚数が多いほど、後続シートの先端が処理トレイ１２９に積載されているシートに接触するまでの距離が短くなることから、小さい値に設定される。処理トレイ１２９に積載される枚数は、例えば、入り口センサＳ１の検知結果に基づいてカウントされる。入口センサＳ１は、入口ローラ対１２１と後端受け止め部１３６との間に配設されている。
【００４６】
シートＰ２の後端Ｐ２ｂを入口センサＳ１が検知してから、算出した時間Ｔ（ｓ）から、所定時間Δｔ（ｓ）を引いた時間ＴＳ（＝Ｔ−Δｔ）（ｓ）後に、後端アシスト１３４が、処理トレイ上のシートＰ１の後端Ｐ１ｂをシート排出方向Ｅに押し始める。所定時間Δｔ（ｔ）は、排出ローラ対１２６のシート搬送速度の誤差を考慮して、２枚目のシートＰ２の先端Ｐ２ａが１枚目のシートＰ１に接触する前に、後端アシスト１３４が処理トレイ１２９上の１枚目のシートＰ１を押して、移動させるためのものである。なお、後端アシスト１３４は、図１３に示すように、後端アシストモータＭ４によって正転、逆転するベルト１４２に設けられている。
【００４７】
時間ＴＳ（＝Ｔ−Δｔ）（ｓ）によって、２枚目のシートＰ２の先端Ｐ２ａが１枚目のシートＰ１に接触したとき、既に、後端アシスト１３４が処理トレイ１２９上の１枚目のシートＰ１を押してシート排出方向Ｅに移動させている。２枚目のシートＰ２は、１枚目のシートＰ１がシート排出方向Ｅに移動するのにともなって、先端Ｐ２ａをシート排出方向Ｅに移動させられながら、排出ローラ対１２６によって１枚目のシートＰ１上に排出される。
【００４８】
上記時間ＴＳ（ｓ）は、上記所定時間Δｔ（ｓ）が零で、算出した時間Ｔ（ｓ）と等しくてもよい（ＴＳ（ｓ）＝Ｔ（ｓ））。この場合、２枚目のシートＰ２の先端Ｐ２ａが１枚目のシートＰ１に接触するのと、後端アシスト１３４が処理トレイ１２９上の１枚目のシートＰ１を押してシート排出方向Ｅに移動させるのとが同時になる。
【００４９】
また、上記時間ＴＳは、算出した時間Ｔ（ｓ）よりも長くしてもよい（ＴＳ（ｓ）＞Ｔ（ｓ））。この場合、２枚目のシートＰ２の先端Ｐ２ａが１枚目のシートＰ１に接触してから、後端アシスト１３４が処理トレイ１２９上の１枚目のシートＰ１を押してシート排出方向Ｅに移動させることになる。この際、２枚目のシートＰ２の先端Ｐ２ａが１枚目のシートＰ１に接触した瞬間にシートの撓みが生じる場合があるが、時間ＴＳ（ｓ）は、この撓みによりシートが折れ曲がったり、シートの搬送不良が生じたりしない時間として設定されている。
【００５０】
いずれにしても、フィニッシャ１１９は、２枚目のシートＰ２の先端Ｐ２ａを１枚目のシートＰ１によって、シート排出方向に移動させるので、２枚目のシートＰ２が、湾曲して、折れ曲がるのを防止することができて、シートの積載不良を少なくすることができる。
【００５１】
なお、２枚目のシートの湾曲を確実に防止するには、時間ＴＳ（＝Ｔ−Δｔ）（ｓ）によって、２枚目のシートＰ２の先端Ｐ２ａが１枚目のシートＰ１に接触したとき、既に、１枚目のシートＰ１がシート排出方向Ｅに移動している場合が最も好ましい。
【００５２】
また、入口ローラ対１２１及び排出ローラ対１２６が２枚目のシートＰ２を排出する排出速度と、後端アシスト１３４が１枚目のシートＰ１をシート排出方向Ｅに移動させる移動速度は同じであるが、異なっていてもよい。この場合、後端アシスト１３４が１枚目のシートＰ１をシート排出方向Ｅに移動させる移動速度は、入口ローラ対１２１及び排出ローラ対１２６が２枚目のシートＰ２を排出する排出速度以上に設定されているのが好ましい。この速度関係によって、フィニッシャはシートが湾曲するのを確実に防止することができる。また、後端アシスト１３４が１枚目のシートＰ１をシート排出方向Ｅに移動させる移動速度が、入口ローラ対１２１及び排出ローラ対１２６が２枚目のシートＰ２を排出する排出速度未満に設定されていたとしても、同様な効果を奏する。すなわち、シートＰ１が移動しない場合と比較してシートの湾曲を抑える効果を奏する。
【００５３】
後端アシスト１３４は所定距離、シート排出方向Ｅに移動した後、停止し、後端アシストモータＭ４の逆回転によって待機位置に戻る。このとき、後端アシスト１３４は処理トレイ１２９に積載されている１枚目のシートＰ１を掴んで待機位置に戻ってもよい。
【００５４】
そして、シートＰ２は、シートＰ１と同様に、スタックトレイ１２８と処理トレイ１２９とに跨って落下する。その後、図９（ｂ）に示すように、搬送上ローラ１２７ａが揺動ローラ機構によって下降して、搬送下ローラ１２７ｂとでシートを挟む。このとき、揺動ローラ対１２７はシート束を搬送する役目ではなく、２枚目のシートＰ２をストッパ１３１の方へ搬送する役目をする。
【００５５】
その後、搬送上ローラ１２７ａが、束出しモータＭ３（図４参照）によって、図９（ｂ）に示す矢印方向に回転（第２の方向に回転、逆回転）する。さらに、処理トレイ１２９に接離自在な戻しローラ１３０も束出しモータＭ３（図４参照）によって、図９（ｂ）に示す矢印方向に回転（逆回転）する。戻しローラ１３０は、移動手段としての後端アシスト１３４によってシート排出方向Ｅへ移動させられたシートをストッパ１３１に受け止められる元の位置に戻す戻し手段である。
【００５６】
揺動ローラ対１２７と戻しローラ１３０との回転によって、シートＰ１，Ｐ２が右下がりの処理トレイ１２９上を矢印Ｆ方向に滑り降りる。そのとき、後端アシスト１３４は、待機位置に待機している。そして、１枚目のシートＰ１がストッパ１３１に受け止められた後、２枚目のシートＰ２がストッパ１３１に受け止められて、搬送上ローラ１２７ａがシートＰ２から離れる。シートＰ１，Ｐ２は、ストッパ１３１に当接することによって、シート搬送方向の整合が行われたことになる。その後、シートＰ１，Ｐ２は、公知の１対の整合板１４４（図４参照）によってシートの幅整合が行われる。
【００５７】
以下、３枚目以降の後続のシートも、２枚目のシートと同様にして、処理トレイ１２９に積載された先行シートの上に積載される。処理トレイ１２９にシートが積載される間、後端アシスト１３４が、１枚のシートに対して、図９に示すシート排出方向Ｅとその反対方向Ｆとに往復移動可能であると、シートの後端をストッパ１３１に整合させ易くなる。
【００５８】
図１０に示すように、処理トレイ１２９に所定枚数のシートがシート束ＰＴとして積載されると、図３、図４に示すステープラ１３２によって、そのシート束が綴じられる。なお、シート束には、ステープラ１３２によって綴じられる代わりに、不図示のパンチユニットによって孔をあけられてもよい。
【００５９】
図１１（ａ）に示すように、搬送上ローラ１２７ａが揺動ローラ機構によって降下して、搬送下ローラ１２７ｂとでシートを挟む（図１２のＳ１０１）。そして、束下クラッチＣＬが作動する（図１２のＳ１０２）。約１５０ｍｍｓｅｃ経過後（図１２のＳ１０３）に、整合板１４４がシート束から退避する（図１２のＳ１０４）。そして、スタックトレイ１２８が、紙面検知レバー１３３によって検知される位置に移動して、排出されてくるシート束を受け取りやすい位置に待機する（図１２のＳ１０５）。
【００６０】
図１１（ｂ）に示すように、搬送上ローラ１２７ａは搬送下ローラ１２７ｂとでシート束ＰＴを挟んで第２の方向（矢印方向）に回転する（図１２のＳ１０６）。このとき、後端アシスト１３４が、シート束ＰＴの後端を押す（図１２のＳ１０７乃至Ｓ１０９）。この結果、シート束はスタックトレイ１２８に排出される（図１２のＳ１１０乃至Ｓ１１２）。
【００６１】
図１１（ｂ）において、シート束が排出され始めたとき、次のシート束における最初のシートが入口ローラ対１２１に送り込まれてきている。
【００６２】
（バッファ動作の説明）
以上は、シート同士の搬送間隔が広く、次のシートが送り込まれてくる間にシート束に綴じ処理を施すことができる場合についての動作説明であった。次に説明する動作は、シート同士の搬送間隔が狭く、シート束に処理を施しているとき、後続シートが送り込まれてきた場合、綴じ処理を行われている間、後続シートを溜めておく（貯留しておく、バッファしておく）、バッファ動作について説明をする。以下のバッファ動作は、フィニッシャ制御部２１１により制御される。
【００６３】
フィニッシャ１１９は、画像形成装置本体１０１のＣＰＵ回路２００が、画像形成装置本体１０１から送られてくるシートの間隔がシート綴じ処理時間より短いと判断したとき、フィニッシャ制御部２１１のバッファ動作指令に基づいて、バッファ動作を行う。この場合、バッファローラ１２４は、バッファローラ離間プランジャＳＬ１（図４参照）によって、下降して下搬送ガイド板１２３ｂに接触している。
【００６４】
図１４において、処理トレイ１２９には、シート束ＰＴが積載されているものとする。シート束ＰＴは、ステープラ１３２（図３、図４参照）によって綴じられるものとする。
【００６５】
図１４（ａ）において、処理トレイ１２９に積載されたシート束ＰＴにステイプル処理が行われている間に、次のシート束の１枚目のシートＰ１が送り込まれてくると、そのシートＰ１は、入口ローラ対１２１によって、バッファローラ１２４に送り込まれる。バッファローラ１２４は、入口搬送モータＭ２（図４参照）によって回転してシートＰ１を下流へと搬送する。このとき、排出ローラ対１２６の排出上ローラ１２６ａは、第１排出ローラ離間プランジャＳＬ２（図４参照）によって、排出下ローラ１２６ｂから離れている。
【００６６】
なお、第１排出ローラ離間プランジャＳＬ２は、図４において、バッファローラ離間プランジャＳＬ１と重なって見えるため、図４には図示されていない。また、揺動ローラ対１２７の搬送上ローラ１２７ａも、不図示のプランジャによって、搬送下ローラ１２７ｂから離れている。
【００６７】
図１４（ｂ）に示すように、シートＰ１の後端Ｐ１ｂが、スイッチバックポイントＳＰに到達すると、図１５（ａ）に示すように、バッファローラ１２４の逆転によって、シートＰ１は上流側（図１４、図１５の右側）へ戻される。これと、ほぼ同時に後端押さえ１３５が、下搬送ガイド板１２３ｂから離れて後端受け止め部１３６が開放される。スイッチバックポイントＳＰへの到達は、図４の入口ローラ対１２１の下流側近傍に配設された入口センサＳ１がシートＰ１の先端Ｐ１ａを検知してから、所定時間後、または、バッファローラ１２４の回転数によって検知されることになっている。
【００６８】
シートＰ１の先端Ｐ１ａが検知されてからのシートＰ１の後端Ｐ１ｂ側は、図１５（ａ）に示すように、後端受け止め部１３６に受け止められる。その後、後端押さえ１３５は、図１５（ｂ）に示すように、元の位置に戻って、後端押さえ１３５に設けてある摩擦部材１４１によって、シートＰ１の後端部分を下搬送ガイド板１２３ｂに押し付ける。
【００６９】
その後、図１６（ａ）に示すように、２枚目のシートＰ２が送り込まれてくる。２枚目のシートＰ２は、入口ローラ対１２１によって搬送され、入口センサＳ１によってシートＰ２の先端Ｐ２ａを検知される。そして、シートＰ２は、後端押さえ１３５の上を通過する。その後、シートＰ２は、図１６（ｂ）に示すように、バッファローラ１２４によっても搬送される。
【００７０】
このとき、１枚目のシートＰ１は、バッファローラ１２４によって、２枚目のシートＰ２とともに下搬送ガイド板１２３ｂに押し付けられて、搬送される２枚目のシートＰ２に追従して、下流側（図１６（ａ）の左側）に移動しようとする。しかし、１枚目のシートＰ１は、後端押さえ１３５に設けてある摩擦部材１４１によって、下搬送ガイド板１２３ｂに押し付けられているので、移動するようなことがない。
【００７１】
２枚目のシートＰ２も、１枚目のシートＰ１と同様に、後端Ｐ２ｂがスイッチバックポイントＳＰに到達すると、図１７、図１８に示すように上流側（図１７、図１８の右側）に戻される。また、２枚目のシートＰ２も、スイッチバックポイントＳＰへの到達したことは、１枚目のシートと同様に、図４の入口センサＳ１がシートＰ２の先端Ｐ２ａを検知してから、所定時間後、または、バッファローラ１２４の回転数によって検知される。
【００７２】
そして、２枚目のシートＰ２は、後端押さえ１３５の摩擦部材１４１によって、１枚目のシートＰ１に重なって下搬送ガイド板１２３ｂに押し付けられる。
【００７３】
その後、図１９（ａ）に示すように、３枚目のシートＰ３が送られてきて、シートＰ３の後端Ｐ３ｂが入口ローラ対１２１を通過すると、図１９（ｂ）に示すように、排出上ローラ１２６ａが排出下ローラ１２６ｂとで、第１〜第３のシートＰ１〜Ｐ３を挟み込む。このとき、３枚目のシートＰ３は、後端Ｐ３ｂを後端受け止め部１３６に当接させないので、２枚目のシートＰ１、Ｐ２よりも下流側に長さＬａだけ多少突出している。これにともなって、後端押さえ１３５が２枚目のシートＰ２から離れて、１枚目のシートＰ１と、２枚目のシートＰ２とを解放する。
【００７４】
また、この頃、処理トレイ１２９上のシート束に対する綴じ処理が終了しているので、図２０（ａ）に示すように、後端アシスト１３４が処理トレイ１２９に沿って移動して、シート束ＰＴの後端をシート排出方向Ｅに押し上げる。
【００７５】
３枚目のシートＰ３の後端Ｐ３ｂが図４に示す入口センサＳ１に検知されてから、シートＰ３の先端Ｐ３ａが処理トレイ１２９に積載されているシート束ＰＴへ到達（接触）するまでの時間Ｔ（秒（ｓ））を、フィニッシャ制御部２１１の不図示の演算部が算出する。この算出は、後述する距離Ｋ及びＣＰＵ回路２０１から送信されるシートサイズ（排出方向の長さ）の情報（フィニッシャ１１９でシートサイズを測定してもよい）を考慮してフィニッシャ制御部２１１の演算部より行われる。距離Ｋは、入り口センサＳ１がシートの先端を検知する位置からこのシートの先端が処理トレイ１２９に積載されているシートに接触する位置までの距離であり、予め、設定されてフィニッシャ制御部２１１に記憶されている。また、距離Ｋは、処理トレイ１２９に積載されているシートの積載枚数に応じて設定される数値である。距離Ｋは、例えば、処理トレイ１２９に積載されている枚数が多いほど、後続シートの先端が処理トレイ１２９に積載されているシートに接触するまでの距離が短くなることから、小さい値に設定される。処理トレイ１２９に積載される枚数は、例えば入り口センサＳ１の検知結果に基づいてカウントされる。
【００７６】
３枚目のシートＰ３の後端Ｐ３ｂを入口センサＳ１が検知してから、算出した時間Ｔ（ｓ）から、所定時間Δｔ（ｓ）を引いた時間ＴＳ（＝Ｔ−Δｔ）（ｓ）後に、後端アシスト１３４が、処理トレイ上のシート束ＰＴの後端ＰＴｂをシート排出方向Ｅに押し始める。所定時間Δｔ（ｔ）は、排出ローラ対１２６のシート搬送速度の誤差を考慮して、３枚目のバッファシートＰ３の先端Ｐ３ａがシート束ＰＴに接触する前に、後端アシスト１３４が処理トレイ１２９上のシート束ＰＴを押して、移動させるためのものである。
【００７７】
時間ＴＳ（＝Ｔ−Δｔ）（ｓ）によって、３枚目のバッファシートＰ３の先端Ｐ３ａがシート束ＰＴに接触したとき、既に、後端アシスト１３４が処理トレイ１２９上のシート束ＰＴを押してシート排出方向Ｅに移動させている。このため、３枚目のシートＰ３の先端Ｐ３ａは、複数枚（本実施形態では３枚）のシートの先端の内、最も下流に位置した先端（最先端）である。
【００７８】
３枚目のシートＰ３は、シート束ＰＴがシート排出方向Ｅに移動するのにともなって、先端Ｐ３ａをシート排出方向Ｅに移動させられる。３枚目のシートＰ３に続いて、１枚目のシートＰ１の先端Ｐ１ａと２枚目のシートＰ２の先端Ｐ２ａも、シート束ＰＴに接触して、シート排出方向Ｅに移動する。そして、３枚のバッファシートＰ１〜Ｐ３が排出ローラ対１２６によってシート束ＰＴ上に排出される。
【００７９】
上記時間ＴＳ（ｓ）は、上記所定時間Δｔ（ｓ）が零で、算出した時間Ｔ（ｓ）と等しくてもよい（ＴＳ（ｓ）＝Ｔ（ｓ））。この場合、３枚目のバッファシートＰ３の先端Ｐ３ａがシート束ＰＴに接触するのと、後端アシスト１３４が処理トレイ１２９上のシート束ＰＴを押してシート排出方向Ｅに移動させるのとが同時になる。
【００８０】
また、上記時間ＴＳは、算出した時間Ｔ（ｓ）よりも長くしてもよい（ＴＳ（ｓ）＞Ｔ（ｓ））。この場合、３枚目のバッファシートＰ３の先端Ｐ３ａがシート束ＰＴに接触してから、後端アシスト１３４が処理トレイ１２９上のシート束ＰＴを押してシート排出方向Ｅに移動させることになる。
【００８１】
いずれにしても、フィニッシャ１１９は、３枚のバッファシートＰ１〜Ｐ３の先端Ｐ１ａ〜Ｐ３ａがシート束ＰＴによって、シート排出方向に移動させられるので、３枚のバッファシートＰ１〜Ｐ３が、湾曲して、折れ曲がるのを防止することができる。よって、フィニッシャ１１９は、シートの積載不良を少なくすることができる。
【００８２】
なお、３枚目のシートの湾曲を確実に防止するには、時間ＴＳ（＝Ｔ−Δｔ）（ｓ）によって、３枚目のシートＰ３の先端Ｐ３ａがシート束ＰＴに接触したとき、既に、シート束ＰＴがシート排出方向Ｅに移動している場合が最も好ましい。
【００８３】
また、入口ローラ対１２１、バッファローラ１２４及び排出ローラ対１２６が３枚のシートＰ１〜Ｐ３を排出する排出速度と、後端アシスト１３４がシート束ＰＴをシート排出方向Ｅに移動させる移動速度は同じであるが、異なっていてもよい。この場合、後端アシスト１３４がシート束ＰＴをシート排出方向Ｅに移動させる移動速度は、入口ローラ対１２１、バッファローラ１２４及び排出ローラ対１２６が３枚のシートＰ１〜Ｐ３を排出する排出速度以上に設定されているのが好ましい。この速度関係によって、フィニッシャはシートが湾曲するのを確実に防止することができる。
【００８４】
なお、以上の説明は、複数枚のバッファシートの内、最後のバッファシートの後端を入口センサＳ１が検知したときを基準にして、時間ＴＳ（ｓ）を設定している。しかし、複数枚のバッファシートの内、いずれのバッファシートの後端を検知して時間ＴＳ（ｓ）を設定してもよい。
【００８５】
図２０（ａ）において、３枚のバッファシートＰ１〜Ｐ３とシート束ＰＴとが、シート排出方向Ｅに移動するとき、シート束ＰＴの先端（下流端）ＰＴａは、２枚のシートＰ１、Ｐ２の先端（下流端）Ｐ１ａ、Ｐ２ｂよりも下流側に長さＬだけ突出している。
【００８６】
そして、図２０（ｂ）に示すように、搬送上ローラ１２７ａも下降して、搬送下ローラ１２７ｂで、３枚のバッファシートＰ１、Ｐ２、Ｐ３とシート束ＰＴとを挟み込む。
【００８７】
その後、３枚のバッファシートＰ１、Ｐ２、Ｐ３と、シート束ＰＴは、揺動ローラ対１２７に挟まれてシート排出方向Ｅに搬送される。そして、図２１（ａ）、図２１（ｂ）に示すように、シート束ＰＴがスタックトレイ１２８に排出されると、１枚目のシートＰ１と２枚目のシートＰ２との後端Ｐ１ｂ，Ｐ２ｂが、排出ローラ対１２６から抜け出る。そして、３枚のシートＰ１〜Ｐ３の後端部分（上流側部分）Ｐ１ｂ〜Ｐ３ｂが処理トレイ１２９に受け止められる。
【００８８】
図２１（ｂ）において、排出ローラ対１２６、揺動ローラ対１２７、後端アシスト１３４は、起動時（Ｔ１）及び起動速度（１３２ｍｍ／ｓｅｃ）が同じであり、同じ時間（Ｔ２）に同じ加速終了速度（５００ｍｍ／ｓｅｃ）に到達するようになっている。このため、排出ローラ対１２６、揺動ローラ対１２７、後端アシスト１３４は、シート束ＰＴや、３枚のシートＰ１〜Ｐ３に引っ張り力や圧縮力を加えるようなことがなく、シート束ＰＴを排出することができる。
【００８９】
しかし、起動速度に差がある場合には、図１２のＳ１０７におけるように、ΔＴの時間差を設けて、各々を始動させると、シート束ＰＴや、３枚のシートＰ１〜Ｐ３に引っ張り力や圧縮力を加えるようなことなく、シート束ＰＴを排出することができる。また、排出ローラ対１２６や揺動ローラ対１２７によるローラの擦れ痕がシートに付くことがなく、シート束ＰＴの品質や、シート束ＰＴの画像の品質を低下させることがない。
【００９０】
３枚のシートＰ１〜Ｐ３は、図２２（ａ）、図２２（ｂ）に示すように、揺動ローラ対１２７と戻しローラ１３０によって、処理トレイ１２９上を滑降搬送されて、ストッパ１３１に受け止められる。この間、スタックトレイ１２８は、一旦、下降して、シート束ＰＴの上面を紙面検知レバー１３３よりも下げてから、再度、上昇して、シート束ＰＴの上面によって紙面検知レバー１３３が作動した時点で、上昇を停止する。この結果、スタックトレイ１２８上のシート束ＰＴの上面を所定の高さに保持することができる。その後、バッファシートＰ１〜Ｐ３は、下搬送ガイド板１２３ｂ上に溜められることなく、順次、処理トレイ１２９上に積載されて、所定枚数に達すると、綴じられる。この綴じ動作の間、後続のシート束の最初の３枚のシートが下搬送ガイド板１２３ｂ上に溜められる。
【００９１】
なお、以上の説明では、下搬送ガイド板１２３ｂ上に３枚のシートが溜められるようになっているが、溜められるシート（バッファシート）の枚数は、シートの長さ、綴じる時間、シートの搬送速度等によって変わるため、３枚に限定されるものではない。
【００９２】
以上説明したようにフィニッシャ１１９は、図２０（ａ）において、シート束ＰＴの先端（下流端）ＰＴａを、１枚目、２枚目のシートＰ１、Ｐ２の先端（下流端）Ｐ１ａ、Ｐ２ａよりも下流側に長さＬだけ突出させるようになっている。これは、次の理由による。
【００９３】
仮に、図２３に示すように、シート束ＰＴの先端ＰＴａの突出長さが、図２０に示す長さＬより短いＬ１であるとすると、後端（下流端）Ｐｂの突出長さもＬ１になる。このため、揺動ローラ対１２７が、シート束ＰＴをスタックトレイ１２８に排出してから、３枚のバッファシートＰ１〜Ｐ３を掴む長さが短くなり、３枚のバッファシートＰ１〜Ｐ３を掴み損なって処理トレイ１２９に確実に送り込むことができなくなることがある。したがって、揺動ローラ対１２７がバッファシートＰ１〜Ｐ３を確実に掴んで処理トレイ１２９に送り込むことができるようにするため、シート束ＰＴをバッファシートに対して長さＬだけ突出させている。
【００９４】
また、上記突出長さが短いと、バッファシートＰ１〜Ｐ３とシート束ＰＴとの接触面積が広くなって、シート束ＰＴがバッファシートＰ１〜Ｐ３に密着し、スタックトレイ１２８に落下するのが遅くなりがちである。この場合、揺動ローラ対１２７が逆転して、バッファシートＰ１〜Ｐ３を処理トレイ１２９に送り込むとき、シート束ＰＴがバッファシートＰ１〜Ｐ３に密着したまま、揺動ローラ対１２７に進入して、シート束ＰＴに傷が付いたり、ジャムが発生したりする。したがって、シート束ＰＴとバッファシートＰ１〜Ｐ３との分離性を良くするためにも、シート束ＰＴをバッファシートＰ１，Ｐ２に対して長さＬだけ突出させている。
【００９５】
以上説明したように、フィニッシャ１１９は、排出ローラ対１２６によって排出されるシートの先端が、処理トレイ１２９に積載されているシート上に接触した状態において、該シートを後端アシスト１３４がシート排出方向Ｅに移動させるようになっている。これによって、フィニッシャ１１９は、後続のシートが先行のシート上で湾曲し、折れ曲がって先行のシート上に積載されるのが防止されて、シートの積載不良の発生を防止することができる。
【符号の説明】
【００９６】
１００：複写機（画像形成装置）、１０１：複写機（画像形成装置）の装置本体、１１４：感光体ドラム（画像形成手段）、１１９：フィニッシャ（シート処理装置）、１２４：バッファローラ、１２６：排出ローラ対（排出手段）、１２７：揺動ローラ対、１２９：処理トレイ（積載手段）、１３０：戻しローラ（戻し手段）、１３２：ステープラ、１３４：後端アシスト（排出手段）、１３５：後端押さえ、１４０：バッファユニット（貯留手段）、２０１：ＣＰＵ回路、
Ｍ１：共通搬送モータ、Ｍ５：揺動モータ、Ｓ１：入口センサ、Ｐ１，Ｐ２，Ｐ３：シート、ＰＴ：シート束、Ｅ：シート排出方向。
【図１】
2014028692.tif 000003
【図２】
2014028692.tif 000004
【図３】
2014028692.tif 000005
【図４】
2014028692.tif 000006
【図５】
2014028692.tif 000007
【図６】
2014028692.tif 000008
【図７】
2014028692.tif 000009
【図８】
2014028692.tif 000010
【図９】
2014028692.tif 000011
【図１０】
2014028692.tif 000012
【図１１】
2014028692.tif 000013
【図１２】
2014028692.tif 000014
【図１３】
2014028692.tif 000015
【図１４】
2014028692.tif 000016
【図１５】
2014028692.tif 000017
【図１６】
2014028692.tif 000018
【図１７】
2014028692.tif 000019
【図１８】
2014028692.tif 000020
【図１９】
2014028692.tif 000021
【図２０】
2014028692.tif 000022
【図２１】
2014028692.tif 000023
【図２２】
2014028692.tif 000024
【図２３】
2014028692.tif 000025
【図２４】
2014028692.tif 000026